(57)【要約】【課題】高速無線通信において、事前にユーザ情報が書き込まれた無線通信装置が、通信契約の解約をした場合でも、接続処理を繰り返し行うことを回避する無線通信制御システム、装置及びプログラム、並びに、基地局を提供する。【解決手段】本発明の無線通信制御システムは、無線通信網への接続処理を行う無線通信装置と、無線通信網を構成するものであって、無線通信装置による接続処理の失敗を検出すると、無線通信装置に対して切断信号を通知する基地局と、無線通信装置の状態を監視して動作制御するものであって、無線通信装置から接続処理の結果を受け取り、接続処理の結果が接続失敗であり、基地局から切断信号の通知を受けた場合に、無線通信装置に対して通信動作を停止させる無線通信制御手段とを備えることを特徴とする。【選択図】      図１
2012015601.tif 000002
【特許請求の範囲】
【請求項１】
無線通信網への接続処理を行う無線通信装置と、
上記無線通信網を構成するものであって、上記無線通信装置による上記接続処理の失敗を検出すると、上記無線通信装置に対して切断信号を通知する基地局と、
上記無線通信装置の状態を監視して動作制御するものであって、上記無線通信装置から接続処理の結果を受け取り、上記接続処理の結果が接続失敗であり、上記基地局から上記切断信号の通知を受けた場合に、上記無線通信装置に対して通信動作を停止させる無線通信制御手段と
を備えることを特徴とする無線通信制御システム。
【請求項２】
上記無線通信制御手段が、
上記無線通信装置の通信動作を無効にする通信動作無効機能を記憶する記憶部と、
上記無線通信装置の上記接続処理の結果が接続失敗であり、上記基地局から上記切断信号の通知を受けた場合に、上記通信動作無効機能を上記無線通信装置に与える通信動作制御部と
を有することを特徴とする請求項１に記載の無線通信制御システム。
【請求項３】
上記通信動作制御部は、上記基地局からの上記切断信号の受信回数が所定数を超えたときに、上記通信動作無効機能を上記無線通信装置に与えることを特徴とする請求項２に記載の無線通信制御システム。
【請求項４】
上記通信動作無効機能がファームウェアであり、
上記通信動作制御部が、通信動作を停止させる上記ファームウェアの更新を上記無線通信装置にさせるものであることを特徴とする請求項２又は３に記載の無線通信制御システム。
【請求項５】
上記基地局は、上記無線通信装置による上記接続処理において、上記無線通信網上の認証サーバから認証失敗を示す認証通知を受けたときに、上記無線通信装置に上記切断信号を通知するものであることを特徴とする請求項１〜４のいずれかに記載の無線通信制御システム。
【請求項６】
無線通信網への接続処理を行う無線通信装置の動作を制御する無線通信制御装置において、
上記無線通信装置による上記接続処理の結果を上記無線通信装置から取得する接続結果取得手段と、
上記接続処理の結果が接続失敗であり、上記無線通信網を構成する基地局から切断信号の通知を受けた場合に、上記無線通信装置に対して通信動作を停止させる通信動作制御手段と
を備えることを特徴とする無線通信制御装置。
【請求項７】
無線通信網への接続処理を行う無線通信装置の動作を制御する無線通信制御プログラムにおいて、
コンピュータを、
上記無線通信装置による上記接続処理の結果を上記無線通信装置から取得する接続結果取得手段、
上記接続処理の結果が接続失敗であり、上記無線通信網を構成する基地局から切断信号の通知を受けた場合に、上記無線通信装置に対して通信動作を停止させる通信動作制御手段
として機能させることを特徴とする無線通信制御プログラム。
【請求項８】
無線通信網を構成する基地局において、
無線通信装置から上記無線通信網への接続要求を受けると、その接続要求を上記無線通信網に中継する中継手段と、
上記無線通信網側から上記無線通信装置による上記接続処理の失敗を検出すると、上記無線通信装置に対して切断信号を通知する切断信号通知手段と
を備えることを特徴とする基地局。
【発明の詳細な説明】
【技術分野】
【０００１】
本発明は、無線通信制御システム、装置及びプログラム、並びに、基地局に関し、例えば、ＷｉＭＡＸ（登録商標、以下同様）等の無線通信を行う無線通信装置の通信動作を制御する無線通信制御システム、装置及びプログラム、並びに、基地局に適用し得るものである。
【背景技術】
【０００２】
例えば、ＷｉＭＡＸ等のようなワイヤレスブロードバンド通信技術が普及している。一般に、ＷｉＭＡＸにより無線通信を行うには、接続先の事業者との間の契約（プロバイダ契約）が必要である。
【０００３】
例えば、人手による所定の新規申込みで契約を締結させる方法がある。この場合、通信事業者は、契約締結後に、ＷｉＭＡＸ網との接続に必要なユーザ情報を書き込んだＷｉＭＡＸ通信機器をユーザに提供する。ＷｉＭＡＸ通信機器は、ユーザ操作を受けて、その事前に書き込まれたユーザ情報を用いて接続処理を行い、通信を開始させる。
【０００４】
また例えば、既にＷｉＭＡＸ通信機器を購入している場合には、オンラインにより契約を締結させる方法がある。購入時には、ユーザ情報がＷｉＭＡＸ通信機器に書き込まれていないので、オンラインで契約を行う場合には、例えばＯＭＡ（Open  Mobile  Alliance）で標準化されたＯＭＡ−ＤＭ（ＯＭＡ−Device  Management）を用いてＷｉＭＡＸ通信機器にユーザ情報を書き込む。
【０００５】
ＯＭＡ−ＤＭは、無線経由で、ＯＭＡ−ＤＭサーバが、クライアントであるＷｉＭＡＸ通信機器の状態を遠隔管理する端末管理技術であり、オンライン契約の際に、ユーザ情報をＷｉＭＡＸ通信機器に書き込むことが行われる。特許文献１には、ＯＭＡ−ＤＭを用いて端末を管理する技術が記載されている。
【０００６】
例えば、ＯＭＡ−ＤＭを用いたオンライン契約は、次のようにして行われる。まず、ＷｉＭＡＸ通信機器は、サービスエリア内で基地局からの電波を受信し、所定の手順により基地局との間で接続処理を行う。このとき、ＷｉＭＡＸ通信機器には、ユーザＩＤやパスワード等の無線通信に必要なユーザ情報が書き込まれていないが、プロバイダ契約を行うための初期接続サイトへの接続が許可される。
【０００７】
初期接続されると、ユーザは、端末の表示画面に従って、例えばプロバイダの選択、ＩＤやパスワードの入力、利用条件の選択などの申込み手続きを行い、登録サーバに登録されることで申込み手続きが完了する。また、登録サーバは、ユーザ情報を認証サーバ、ＯＭＡ−ＤＭサーバに与える。認証サーバでは、登録サーバからのユーザ情報を記憶し、そのユーザ情報を用いてユーザ認証を行う。
【０００８】
ＯＭＡ−ＤＭサーバは、登録サーバからユーザ認証に必要なＩＤ及びパスワード等のユーザ情報を書き込むコマンドをＷｉＭＡＸ通信機器に与えて、ＷｉＭＡＸ通信機器にＩＤ及びパスワードの書き込みを実行させる。これにより、次回の接続では、ＷｉＭＡＸ通信機器が書き込まれたＩＤやパスワード等のユーザ情報を用いてユーザ認証を行い、無線接続を行うことができる。
【０００９】
一方、契約を解約する場合、ユーザは所定の解約手続きを行う。登録サーバは認証サーバに対して当該ユーザのユーザ情報の削除を求める。これを受けて、認証サーバは、当該ユーザのユーザ情報の削除を行うこととしている。これにより、認証サーバにはユーザ情報が削除されているので、その後にユーザ認証要求を受けても、認証がＮＧとなるので、ＷｉＭＡＸ通信ができなくなる。
【先行技術文献】
【特許文献】
【００１０】
【特許文献１】特開２０１０−０６１２６８号公報
【発明の概要】
【発明が解決しようとする課題】
【００１１】
しかしながら、ユーザが契約を解約しても、ＷｉＭＡＸ通信機器にはユーザ情報が削除されずに書き込まれたままであるので、ＷｉＭＡＸ通信の接続要求が繰り返しなされてしまうおそれがある。
【００１２】
この場合、ＷｉＭＡＸ通信機器は、基地局を介して認証サーバとの間で、接続処理を繰り返し行うことになるので、基地局や認証サーバの負荷を増やしてしまうことになる。
【００１３】
そこで、契約を解約した場合でも、ＷｉＭＡＸ通信機器等の無線通信装置の無線通信を停止し、基地局との通信を停止させることができる無線通信制御システム、装置及びプログラム、並びに、基地局が求められている。
【課題を解決するための手段】
【００１４】
かかる課題を解決するために、第１の本発明の無線通信制御システムは、（１）無線通信網への接続処理を行う無線通信装置と、（２）無線通信網を構成するものであって、無線通信装置による接続処理の失敗を検出すると、無線通信装置に対して切断信号を通知する基地局と、（３）無線通信装置の状態を監視して動作制御するものであって、無線通信装置から接続処理の結果を受け取り、接続処理の結果が接続失敗であり、基地局から切断信号の通知を受けた場合に、無線通信装置に対して通信動作を停止させる無線通信制御手段とを備えることを特徴とする。
【００１５】
第２の本発明の無線通信制御装置は、無線通信網への接続処理を行う無線通信装置の動作を制御する無線通信制御装置において、（１）無線通信装置による接続処理の結果を無線通信装置から取得する接続結果取得手段と、（２）接続処理の結果が接続失敗であり、無線通信網を構成する基地局から切断信号の通知を受けた場合に、無線通信装置に対して通信動作を停止させる通信動作制御手段とを備えることを特徴とする。
【００１６】
第３の本発明の無線通信制御プログラムは、無線通信網への接続処理を行う無線通信装置の動作を制御する無線通信制御プログラムにおいて、コンピュータを、（１）無線通信装置による接続処理の結果を無線通信装置から取得する接続結果取得手段、（２）接続処理の結果が接続失敗であり、無線通信網を構成する基地局から切断信号の通知を受けた場合に、無線通信装置に対して通信動作を停止させる通信動作制御手段として機能させることを特徴とする。
【００１７】
第４の本発明の基地局は、無線通信網を構成する基地局において、（１）無線通信装置から無線通信網への接続要求を受けると、その接続要求を無線通信網に中継する中継手段と、（２）無線通信網側から無線通信装置による接続処理の失敗を検出すると、無線通信装置に対して切断信号を通知する切断信号通知手段とを備えることを特徴とする。
【発明の効果】
【００１８】
本発明によれば、契約を解約した場合に、無線通信装置の無線通信を停止し、基地局との通信を停止させることができる。
【図面の簡単な説明】
【００１９】
【図１】実施形態のゲートウェイ装置の内部構成を示す内部構成図である。
【図２】実施形態のネットワークの全体構成を示す全体構成図である。
【図３】実施形態の基地局の内部構成を示す内部構成図である。
【図４】実施形態の無線通信機器制御部の機能構成を示すブロック図である。
【図５】実施形態の無線通信機器の内部構成を示す内部構成図である。
【図６】実施形態の無線通信機器による接続処理例を示す接続シーケンス図である。
【図７】同期・初期レンジングの処理例を示すシーケンス図である。
【図８】無線通信機器と認証サーバとの間の認証処理例を示すシーケンス図である。
【図９】ＤＲＥＧ−ＣＭＤのメッセージの構成を説明する説明図である。
【図１０】無線通信機器制御部における処理を示すフローチャートである。
【発明を実施するための形態】
【００２０】
（Ａ）主たる実施形態
以下では、本発明の無線通信制御システム、装置及びプログラム、並びに、基地局の実施形態を図面を参照しながら説明する。
【００２１】
この実施形態では、ＩＥＥＥ８０２．１６−２００４、ＩＥＥＥ８０２．１６ｅ等の標準化技術に準拠したＷｉＭＡＸに本発明を適用する場合を例示する。なお、高速無線通信方式であれば、ＷｉＭＡＸに限定されることなく、他の方式の高速無線通信方式に広く適用できる。
【００２２】
（Ａ−１）実施形態の構成
図２は、実施形態のネットワークの全体構成を示す全体構成図である。図２において、この実施形態のネットワーク１０は、ゲートウェイ装置１、無線通信機器２、端末３、基地局２１、登録サーバ２３、認証サーバ２４を少なくとも有して構成される。
【００２３】
ゲートウェイ装置１は、ＷｉＭＡＸ通信とＬＡＮ通信との間で相互接続を行う中継装置である。ゲートウェイ装置１は、例えばＵＳＢ（Universal  Serial  Bus）で無線通信機器２と接続し、また例えばＬＡＮポートや無線ＬＡＮアンテナ等を介して１又は複数の端末３と接続する。そして、ゲートウェイ装置１は、それぞれの通信データのデータ変換を行い、端末３と無線通信機器２との間の中継処理を行う。
【００２４】
このように、ゲートウェイ装置１を用いることで、ユーザは、端末３を扱いながらＷｉＭＡＸ通信を行うことができる。なお、ゲートウェイ装置１は、複数の端末３と接続することができる。また、ゲートウェイ装置１が接続可能なＬＡＮ通信としては、例えば、ＷｉＦｉ（登録商標）等の無線ＬＡＮ、有線ＬＡＮのいずれか又は双方と接続できるようにしてもよい。
【００２５】
ゲートウェイ装置１は、例えばＵＳＢ等で接続している無線通信機器２の起動制御を行うものである。また、ゲートウェイ装置１は、無線通信機器２の状態を示す情報を受け取り、無線通信機器２の状態を監視するものである。さらに、ゲートウェイ装置１は、無線通信機器２の通信動作を無効にするファームウェアを記憶するものである。
【００２６】
そして、ゲートウェイ装置１は、無線通信機器２から受け取ったＷｉＭＡＸ網への接続結果が、後述する所定の条件を満たす場合、無線通信機器２の通信動作を停止させ、通信動作を無効にするファームウェアを無線通信機器２に送信する。これにより、無線通信機器２において、通信動作を無効にするファームウェアに更新させることができるので、無線通信機器２の通信動作を停止させることができる。
【００２７】
無線通信機器２は、ＷｉＭＡＸ通信を行う通信機器である。無線通信機器２は、ネットワーク接続に必要なユーザ情報を記憶しており、そのユーザ情報を用いて、ＩＥＥＥ８０２．１６−２００４又はＩＥＥＥ８０２．１６ｅに規定される無線通信方式に従って、ＷｉＭＡＸ網への接続処理を行う。
【００２８】
無線通信機器２は、接続しているゲートウェイ装置１により起動制御を受け、ゲートウェイ装置１から起動要求を受けると、ＷｉＭＡＸ網への接続処理を行う。また、無線通信機器２は、ＷｉＭＡＸ網への接続結果を、接続しているゲートウェイ装置１に通知する。さらに、無線通信機器２は、ゲートウェイ装置１からファームウェアの更新要求を受け、更新すべきファームウェアを受け取ると、そのファームウェアの更新を行うものである。
【００２９】
なお、無線通信機器２は、例えばＵＳＢ（Universal  Serial  Bus）でゲートウェイ装置１又は端末３と接続するようにしてもよい。この実施形態では、ゲートウェイ装置１に無線通信機器２が接続された場合を想定して説明する。
【００３０】
端末３は、通信機能を有する通信端末である。端末３の通信方式は、特に限定されないが、例えば、ＷｉＦｉ（登録商標）等の無線ＬＡＮ通信やケーブル接続によるＴＣＰ／ＩＰの有線ＬＡＮ通信のいずれか又は双方を適用するようにしてもよい。また、例えば、端末３は、通信機能を有する、パーソナルコンピュータ、ＰＤＡ、ゲーム機、電子書籍端末、音楽プレイヤ等を広く適用できる。
【００３１】
基地局２１は、ＷｉＭＡＸ通信に対応する基地局である。基地局２１は、無線リソースの割り当て情報等を含むフレームを周期的に送出するものであり、スキャニングした無線通信機器２との間で、無線通信機器２が信号を送信するための領域を割り当て、時間と周波数の同期を確保するレンジングを行う。また、基地局２１は、無線通信機器２との間の基本能力のネゴシエーションを行い、無線通信機器２と無線通信を行う。
【００３２】
なお、レンジングには、「初期レンジング」、「ハンドオーバレンジング」、「周期レンジング」がある。「初期レンジング」は、ネットワークのエントリー時（端末登録時）に行うものであり、「ハンドオーバレンジング」は、ハンドオーバ先の基地局に登録するときに行うものであり、「周期レンジング」は、通常の動作中に周期的に行うものである。
【００３３】
また、基地局２１は、無線通信機器２と認証サーバ２４との間で行う認証処理に関するデータを送受信（中継）するものである。基地局２１は、認証サーバ２４から認証通知に基づき、無線通信機器２による接続処理が失敗であるとき、切断信号に該当するＤＲＥＧ−ＣＭＤを無線通信機器２に通知するものである。
【００３４】
ここで、ＤＲＥＧ−ＣＭＤは、同期・初期レンジングや認証処理等のネットワーク接続処理の初期化プロセスのやり直しを要求するコマンドである。通常のネットワーク接続処理では、基地局が認証失敗通知のためにＤＲＥＧ−ＣＭＤを通知する処理は行わないが、この実施形態では、基地局２１が、認証サーバ２４からの認証結果がＮＧである場合に、ＤＲＥＧ−ＣＭＤを無線通信機器２に通知して、ネットワーク接続の初期化プロセスのやり直しを求めるようにする。
【００３５】
登録サーバ２３は、ＷｉＭＡＸ通信の契約ユーザのユーザ情報を管理するサーバである。例えば、登録サーバ２３が管理するユーザ情報としては、ユーザの名前や住所等の基本情報、認証に必要なＩＤやパスワード、プロバイダ情報（プロバイダ名、利用条件等）などが該当する。
【００３６】
登録サーバ２３は、契約締結されると、認証サーバ２４に当該ユーザのユーザ情報を与えて登録させる。これにより、その後の無線通信機器２からの接続要求に対して、ユーザ認証を成功させることができるので、当該ユーザによるＷｉＭＡＸ通信を許容することができる。一方、登録サーバ２３は、契約が解約されると、認証サーバ２４に対して、当該ユーザのユーザ情報の削除を求める。これにより、認証サーバ２４は、当該ユーザのユーザ情報の削除をすることで、その後の無線通信機器２からの接続要求に対して、認証ＮＧとすることができ、ＷｉＭＡＸ通信を許可しないようにすることができる。
【００３７】
認証サーバ２４は、登録ユーザの認証処理を行うものである。認証サーバ２４は、登録サーバ２３から受け取ったユーザ情報を保持する。そして、認証サーバ２４は、無線通信機器２から認証要求を受けると、その無線通信機器２から受け取ったユーザ情報と保持しているユーザ情報とを用いて、当該ユーザ認証が正当か否かを判断してユーザ認証を行う。なお、認証サーバ２４が適用する認証方法は、種々の方法を広く適用することができ、例えば、ＰＰＰ（Point  To  Point  Protocol）を拡張したＥＡＰ（Extensible  Authentication  Protocol）手順を適用することができる。
【００３８】
（Ａ−１−２）基地局２１の内部構成
図３は、基地局２１の内部構成を示す内部構成図である。図３において、基地局２１は、アンテナ５１、第１通信部５２、第２通信部５３、制御部５４を少なくとも有する。
【００３９】
アンテナ５１は、到来した電波を捕捉して電波信号を第１通信部５２に与えたり、第１通信部５２からの信号に基づく電波信号を送出したりするものである。アンテナ５１は、無線通信機器２との間でＷｉＭＡＸ通信を実現するためのものであり、例えば、ＩＥＥＥ８０２．１６−２００４又はＩＥＥＥ８０２．１６ｅに規格されたアンテナを適用することができる。
【００４０】
第１通信部５２は、アンテナ５１と接続し、無線通信機器２側との間の通信処理を行うものである。第１通信部５２は、例えば、ＩＥＥＥ８０２．１６−２００４、ＩＥＥＥ８０２．１６ｅに規格された技術を用いることができる。
【００４１】
第２通信部５３は、バックボーンであるＷｉＭＡＸ網と接続し、ＷｉＭＡＸ網との間でデータの送受信を行うものである。
【００４２】
制御部５４は、基地局２１の機能を司るものである。基地局２１の制御部５４の主な機能としては、ネットワーク初期化処理部５４１、中継処理部５４２、ＤＲＥＧ−ＣＭＤ通知部５４３を少なくとも有する。
【００４３】
ネットワーク初期化処理部５４１は、無線通信機器２との間で情報（データ）をやり取りするコネクションを確立する処理を行うものである。ネットワーク初期化処理部５４１は、無線通信機器２との間で、同期・初期レンジング、無線通信機器２の基本能力ネゴシエーションなどを行うものである。
【００４４】
中継処理部５４２は、無線通信機器２とＷｉＭＡＸ網との間で授受されるデータを中継する処理部である。
【００４５】
ＤＲＥＧ−ＣＭＤ通知部５４３は、ＷｉＭＡＸ網側から無線通信機器２による接続処理が失敗したことを検出した場合に、ＤＲＥＧ−ＣＭＤを無線通信機器２に通知するものである。
【００４６】
つまり、ＤＲＥＧ−ＣＭＤ通知部５４３は、認証サーバ２４から、認証要求を行う無線通信機器２の認証結果を示す認証通知を受け取り、その認証通知が認証ＮＧである場合に、ＤＲＥＧ−ＣＭＤを作成し、第１通信部５２を介して無線通信機器２にＤＲＥＧ−ＣＭＤを通知するものである。
【００４７】
（Ａ−１−３）ゲートウェイ装置の内部構成
次に、ゲートウェイ装置１の内部構成について図面を参照しながら説明する。図１は、ゲートウェイ装置１の内部構成を示す内部構成図である。
【００４８】
図１において、ゲートウェイ装置１は、無線通信機器制御部１１、データ制御部１２、無線通信機器インタフェース部１３、ＬＡＮポート１４、無線ＬＡＮ通信部１５を少なくとも有する。
【００４９】
ＬＡＮポート１４は、端末３（端末３−１）との接続インタフェース部であり、ＬＡＮケーブルのポート部である。
【００５０】
無線ＬＡＮ通信部１５は、例えば、ＷｉＦｉ（登録商標）等の無線ＬＡＮ通信を行うものである。無線ＬＡＮ通信部１５は、図示しない無線アンテナ部を有しており、端末３（端末３−２））との間で無線ＬＡＮ通信を行う。
【００５１】
無線通信機器インタフェース部１３は、無線通信機器２との接続インタフェース部である。無線通信機器インタフェース部１３は、無線通信機器と接続することができれば、様々な接続インタフェースを広く適用することができ、例えば、ＵＳＢ（Universal  Serial  Bus）やシリアル接続などを適用することができる。
【００５２】
データ制御部１２は、ゲートウェイ装置１のデータ制御を行うものである。データ制御部１２は、無線通信機器インタフェース部１３、ＬＡＮポート１４及び無線ＬＡＮ通信部１５と接続しており、それぞれの通信データの相互変換を行い、通信データを転送先に与える中継処理を行うものである。また、データ制御部１２は、既存のゲートウェイ装置が搭載する機能を備え得るものであり、例えばルータ機能や通信データのセキュリティ機能等を搭載するようにしてもよい。
【００５３】
無線通信機器制御部１１は、無線通信機器インタフェース部１３を介して接続している無線通信機器２の動作を制御するものである。
【００５４】
図４は、無線通信機器制御部１１の機能を示すブロック図である。図４において、無線通信機器制御部１１は、起動停止要求部１１１、カウンタ管理部１１２、接続結果取得部１１３、接続結果判定部１１４、ファームウェア更新要求部１１５、ファームウェア送信部１１６を少なくとも有する。
【００５５】
起動停止要求部１１１は、無線通信機器２に対して起動要求又は停止要求を与えるものである。起動要求のタイミングは、特に限定されるものではないが、例えば、ゲートウェイ装置１の電源ＯＮのとき、端末３からの通信要求があったとき、通信断となったときなどがある。また、停止要求のタイミングとしては、端末３からの停止要求があったとき、後述する接続結果判定部１１４が無線通信機器２の契約解約状態を判断したときなどがある。
【００５６】
カウンタ管理部１１２は、無線通信機器２が基地局２１から受信したＤＲＥＧ−ＣＭＤの受信回数をカウントするＤＲＥＧ−ＣＭＤ受信カウンタを管理するものである。カウンタ管理部１１２は、起動停止要求部１１１が無線通信機器２に起動要求を与えると、ＤＲＥＧ−ＣＭＤ受信カウンタを初期化する。また、カウンタ管理部１１２は、無線通信機器２が基地局２１からＤＲＥＧ−ＣＭＤを受信するたびに、ＤＲＥＧ−ＣＭＤ受信カウンタをカウントするものである。これにより、基地局２１から無線通信機器２に与えられたＤＲＥＧ−ＣＭＤの受信回数を管理することができる。
【００５７】
接続結果取得部１１３は、無線通信機器インタフェース部１３を介して、無線通信機器２から接続結果の情報を取得するものである。これにより、ＷｉＭＡＸ網への接続処理を行う無線通信機器２の状態（すなわち接続結果）を認識することができる。
【００５８】
接続結果判定部１１４は、接続結果取得部１１３から無線通信機器２の接続結果を受け取り、無線通信機器２の接続結果に基づいて、当該無線通信機器２によるＷｉＭＡＸ通信の契約が解約されているか否かを判定するものである。
【００５９】
例えば、接続結果判定部１１４は、認証サーバ２４から通知された無線通信機器２の認証通知が認証ＮＧであり、かつ、基地局２１からＤＲＥＧ−ＣＭＤを所定回数連続して受信した場合を、無線通信機器２の契約が解約されているものと判定する。
【００６０】
ここで、認証サーバ２４からの認証通知の判断については、接続結果判定部１１４が、接続結果取得部１１３を通じて、無線通信機器２が受信した認証通知に基づいて、認証ＯＫか認証ＮＧかを判断することができる。すなわち、接続結果判定部１１４は、認証ＮＧであるときに、接続処理が失敗したと判定する。
【００６１】
また、基地局２１からのＤＲＥＧ−ＣＭＤの受信回数については、無線通信機器２が基地局２１からＤＲＥＧ−ＣＭＤを受信すると、カウンタ管理部１１２がＤＲＥＧ−ＣＭＤ受信カウンタのカウンタ値を１だけ増加させる。そして、接続結果判定部１１４は、ＤＲＥＧ−ＣＭＤ受信カウンタのカウンタ値が、事前に設定した閾値を超えたか否かにより判断することができる。
【００６２】
このように、基地局２１からのＤＲＥＧ−ＣＭＤの受信回数を複数回としたのは、ＷｉＭＡＸ等の無線通信では伝搬環境の影響を強く受けることがあり、無線通信が失敗することも生じ得るからである。そこで、閾値の値は任意に設定又は変更することができ、またその値は３以上の値とすることが望ましい。
【００６３】
なお、ＤＲＥＧ−ＣＭＤ受信カウンタは、基地局２１からＤＲＥＧ−ＣＭＤを受信するたびに、カウンタ値を1だけ増加（インクリメント）させ、閾値との比較を行うとするが、他の例として、例えば、起動要求時に、ＤＲＥＧ−ＣＭＤ受信カウンタのカウンタ値を例えば「５」と設定し、ＤＲＥＧ−ＣＭＤを受信するたびに、「４」、「３」、…のように１だけカウンタ値を減少させ、そのカウンタ値が「０」になったときに、無線通信機器２の契約解約を判断するようにしてもよい。
【００６４】
ファームウェア更新要求部１１５は、接続結果判定部１１５により、無線通信機器２によるＷｉＭＡＸ通信の契約が解約されていると判定されると、無線通信機器２にファームウェアの更新を要求通知するものである。
【００６５】
ファームウェア送信部１１６は、ファームウェア更新要求部１１５が無線通信機器２にファームウェアの更新通知を行うと、ファームウェア記憶部１１７に記憶されている無線通信の動作を停止させるファームウェアを読み出し、無線通信機器２に与えるものである。これにより、無線通信機器２に対して通信動作を停止させるファームウェアの更新をさせることができる。その結果、従来繰り返し行われていた無線通信機器２のＷｉＭＡＸ網への接続要求を停止させることができるので、基地局２１や認証サーバ２４の負担軽減を図ることができる。
【００６６】
ファームウェア記憶部１１７は、少なくとも無線通信機器２の通信動作を無効にするファームウェアを予め記憶する記憶領域である。
【００６７】
（Ａ−１−４）無線通信機器の内部構成
次に、無線通信機器２の内部構成について図面を参照しながら説明する。図５は、無線通信機器２の内部構成を示す内部構成図である。
【００６８】
図５において、無線通信機器２は、アンテナ４１ａ、通信部４１、接続インタフェース部４２、制御部４３を少なくとも有する。
【００６９】
通信部４１は、アンテナ４１ａと接続し、基地局２１側との間の無線通信を行うものである。通信部４１及びアンテナ４１ａは、例えば、ＩＥＥＥ８０２．１６−２００４、ＩＥＥＥ８０２．１６ｅに規格された技術を用いることができる。
【００７０】
接続インタフェース部４２は、例えばゲートウェイ装置１又は端末３との間の接続インタフェース部であり、例えば、ＵＳＢなどを適用することができる。
【００７１】
制御部４３は、無線通信機器２の機能を司るものである。制御部４３は、ファームウェアやアプリケーションなどを記憶する記憶部４４を有しており、ＷｉＭＡＸ通信サービスを制御するものである。また、制御部４３は、図５に示すように、この実施形態の主な機能として、接続結果送信部４３１、ファームウェア更新部４３２を有する。
【００７２】
接続結果送信部４３１は、接続処理を行う無線通信機器２の状態をゲートウェイ装置１に与えるものである。接続結果送信部４３１がゲートウェイ装置１に与える情報としては、例えば、基地局２１との間のレンジング結果、認証サーバ２４による認証通知、基地局２１から受信したＤＲＥＧ−ＣＭＤなどがある。これにより、無線通信機器２の状態をゲートウェイ装置１に通知することができる。
【００７３】
ファームウェア更新部４３２は、ゲートウェイ装置１からファームウェアの更新通知を受け、更新用のファームウェアを受け取ると、記憶部４４に記憶されるファームウェアを更新用のファームウェアに更新するものである。なお、ファームウェア更新部４３２は、ファームウェアの更新後に、再起動や各種設定等の所定処理を行うようにしてもよい。
【００７４】
（Ａ−２）実施形態の動作
次に、この実施形態の無線通信機器２の通信動作を停止させる処理について図面を参照しながら説明する。
【００７５】
以下では、無線通信機器２を用いるユーザによりＷｉＭＡＸ通信の契約は解約されているものとする。契約は解約されているので、認証サーバ２４は、当該ユーザのユーザ情報を削除している状態となっている。
【００７６】
なお、契約解約の方法は、特に限定されるものではなく、例えば、人手による所定の解約手続きによる方法や、例えばＯＭＡ−ＤＭを用いたオンラインでの解約手続きによる方法等でなされた場合にも適用することができる。
【００７７】
（Ａ−２−１）ネットワーク接続処理
図６は、この実施形態のネットワーク接続処理の動作を示すシーケンス図である。図６では、無線通信機器制御部１１、無線通信機器２、基地局２１、認証サーバ２４の間の接続処理を示す。
【００７８】
まず、無線通信機器２は、接続しているゲートウェイ装置１の無線通信機器制御部１１から起動要求を受けると（ステップＳ２０１）、フレームを送出している基地局をスキャンして見つけ出し、その基地局２１との間で同期・初期レンジングを行う（ステップＳ２０２）。
【００７９】
図７は、同期・初期レンジングの処理例を示すシーケンス図である。同期・初期レンジングの手順は、既知の手順を適用することができる。図７に例示するシーケンスは、既知の手順の一例を示す。
【００８０】
図７において、無線通信機器２は、基地局２１から、下りリンクの無線リソース割り当て情報であるＤＬ−ＭＡＰ（Downlink  Map）と、上りリンクの無線リソース割り当て情報であるＵＬ−ＭＡＰ（Uplink  Map）を受信する（ステップＳ３０１）。
【００８１】
無線通信機器２は、システムパラメータとしてＵＣＤ（Uplink  Channel  Descriptor：上りチャネル記述子）を受信する（ステップＳ３０２）。これにより、無線通信機器２は、レンジング割り当て領域情報とレンジングコード割り当て情報に基づいて、初期バックオフウィンドウ（例えば０〜１５の範囲で２の自乗で表現される）内の初期レンジングのスロット（データを割り当てるための時間間隔）の１つを選択して任意に選択した初期レンジングコード（ＣＤＭＡコード）を基地局２１に送信する（ステップＳ３０３）。
【００８２】
基地局２１は無線通信機器２からの初期レンジングコードを受信すると、その応答としてＲＮＧ−ＲＳＰ（Ranging  Response：レンジング応答）を送信する（ステップＳ３０４）。このとき、無線通信機器２は、信号のシンボル同期を図るため、自身の送信電力と送信タイミングを、ＲＮＧ−ＲＳＰに含まれる値に調整する。
【００８３】
次に、基地局２１はＵＬ−ＭＡＰを送信し（ステップＳ３０５）、無線通信機器２は、基地局２１から受信したＵＬ−ＭＡＰの中に含まれているＣＤＭＡ  Allocation  ＩＥで割り当てられている上りのリソースを用いて、初期のＲＮＧ−ＲＥＱ（Ranging  Request）を基地局２１に送信する（ステップＳ３０６）。
【００８４】
基地局２１は、初期ＲＮＧ−ＲＥＱに対する応答としてＲＮＧ−ＲＳＰを無線通信機器２に応答し、当該無線通信機器２に管理接続識別子を割り当てる（ステップＳ３０７）。
【００８５】
無線通信機器２が初期レンジングプロセスを完了すると、割り当てられた管理接続識別子を用いて帯域を要求し、割り当てられたリソースを通じて無線通信機器２がサポートできる物理層に関するパラメータ（設定値）と認証関連能力の情報を含むＳＢＣ−ＲＥＱ（SS  Basic  Capability  Request）を基地局に送信する（ステップＳ３０８）。そして、基地局２１は、無線通信機器２がサポート可能な能力の中で、実際に運用できるモードを決定してＳＢＣ−ＲＳＰ（SBC  Response）を無線通信機器２に送信する（ステップＳ３０９）。
【００８６】
無線通信機器２は、上記のようにして基地局２１との間で同期・初期レンジングを行い、決定されたパラメータを用いて基地局２１と通信を行う。
【００８７】
次に、無線通信機器２は、基地局２１を介して、認証サーバ２４との間で、サーバ認証を行い（ステップＳ２０３）、認証サーバ２４によるユーザ認証がなされる（ステップＳ２０４）。
【００８８】
図８は、無線通信機器２と認証サーバ２４との間の認証処理例を示すシーケンス図である。認証処理は、既知の認証処理を適用することがでる。図８に例示する認証処理は、ＷｉＭＡＸに適用されるＥＡＰ手順を通じて認証する一例である。
【００８９】
無線通信機器２は、認証サーバ２４からＰＫＭ−ＲＳＰ（ＥＡＰ  Request（ＩＤ要求））を受信する（ステップＳ４０１）。無線通信機器２は、ＰＫＭ−ＲＥＱ（ＥＡＰ  Response（ＩＤ通知））を認証サーバ２４に送信する（ステップＳ４０２）。
【００９０】
無線通信機器２は、認証サーバ２４からＰＫＭ−ＲＳＰ（ＥＡＰ  Request（ＴＴＬＳ開始））を受信する（ステップＳ４０３）。無線通信機器２は、ＰＫＭ−ＲＥＱ（ＥＡＰ  Response（ＴＴＬＳ  Client  hello））を認証サーバ２４に送信する（ステップＳ４０４）。
【００９１】
無線通信機器２は、認証サーバ２４からＰＫＭ−ＲＳＰ（ＥＡＰ  Request（ＲＡＵＤＩＳアクセスチャレンジ））を受信する（ステップＳ４０５）。無線通信機器２は、ＰＫＭ−ＲＥＱ（ＥＡＰ  Response（ＲＡＵＤＩＳアクセスリクエスト））を認証サーバ２４に送信する（ステップＳ４０６）。
【００９２】
無線通信機器２は、認証サーバ２４からＰＫＭ−ＲＳＰ（ＥＡＰ  Request（ＲＡＵＤＩＳアクセスチャレンジ））を受信する（ステップＳ４０７）。無線通信機器２は、ＰＫＭ−ＲＥＱ（ＥＡＰ  Response（ユーザＩＤ））を認証サーバ２４に送信する（ステップＳ４０８）。
【００９３】
認証サーバ２４は、ステップＳ４０８で無線通信機器２が認証に必要なユーザ情報を受け取ると、そのユーザ情報を用いてユーザ認証を行う。しかし、無線通信機器２によるＷｉＭＡＸ通信の契約は解約されている。つまり、認証サーバ２４に登録されていたユーザのユーザ情報は削除されている。そのため、認証サーバ２４は、無線通信機器２からのユーザ情報を用いたユーザ認証は失敗する。認証サーバ２４は、無線通信機器２に対して、認証ＮＧであることを示す認証通知ＰＫＭ−ＲＳＰ（ＥＡＰ  Failure）を送信する（ステップＳ４０９、図６のステップＳ２０５）。
【００９４】
基地局２１は、認証サーバ２４から無線通信機器２宛の認証通知を監視している。基地局２１では、認証サーバ２４からの認証通知が認証ＮＧであることを認識すると、ＤＲＥＧ−ＣＭＤ通知部５４３がＤＲＥＧ−ＣＭＤを作成して、無線通信機器２にＤＲＥＧ−ＣＭＤを通知する（図８のステップＳ４１０、図６のステップＳ２０６）。
【００９５】
ここで、ＤＲＥＧ−ＣＭＤ通知部５４３がＤＲＥＧ−ＣＭＤを送信するタイミングは、無線通信機器２が行うネットワーク接続処理のタイムアウト期間内とする。
【００９６】
例えば、無線通信機器２は、無線通信機器制御部１１から起動要求を受けてから、同期・初期レンジング、認証処理等のネットワーク接続の初期化プロセスを開始する。無線通信機器２が行うネットワーク接続処理には、タイムアウト期間が設けられており、接続処理は、そのタイムアウト期間内で行われる。タイムアウト期間に、同期・初期レンジング、認証処理等の接続処理が成功しない場合、ネットワーク接続処理は失敗とみなし、無線通信機器２は再度接続処理を行う。
【００９７】
ＤＲＥＧ−ＣＭＤ通知部５４３は、無線通信機器２へのＤＲＥＧ−ＣＭＤの通知を、上記タイムアウト期間内となるタイミングで行う。これは、無線通信機器２から見れば、１回のネットワーク接続処理の工程の中で、基地局２１からＤＲＥＧ−ＣＭＤの通知を受けることができる。そのため、後述するように、無線通信機器２の状態を監視する無線通信機器制御部１１は、無線通信機器２が解約後の状態であることを迅速に判断することができる。
【００９８】
例えば、図６の例の場合、ステップＳ２０１の無線通信機器制御部１１による起動要求からのタイムアウト期間が１秒であるとする。このようなタイムアウト期間の場合、ＤＲＥＧ−ＣＭＤ通知部５４３は、認証サーバ２４から認証通知を受けてから、次回の同期・初期レンジング処理が開始されるまでの間に、無線通信機器２にＤＲＥＧ−ＣＭＤを通知する。
【００９９】
次に、ＤＲＥＧ−ＣＭＤ通知部５４３が作成するＤＲＥＧ−ＣＭＤのメッセージ構成を説明する。図９は、ＤＲＥＧ−ＣＭＤ通知部５４３が通知するＤＲＥＧ−ＣＭＤのメッセージの構成を説明する説明図である。
【０１００】
ＤＲＥＧ−ＣＭＤのメッセージは、ＭＡＣマネージメントメッセージとして作成されるものであり、図９に示すように、一般ＭＡＣヘッダ、ペイロード、ＣＲＣ（Cyclic  Redundancy  Check）を有して構成される。
【０１０１】
一般ＭＡＣヘッダには、無線通信機器２のＭＡＣアドレスが送信先ＭＡＣアドレスとして、基地局２１のＭＡＣアドレスが送信元ＭＡＣアドレスとして記述される。
【０１０２】
ペイロードには、マネージメントメッセージタイプ、マネージメントメッセージペイロードとが含まれる。そして、マネージメントメッセージタイプには、ＤＲＥＧ−ＣＭＤであることを示す「Ｔｙｐｅ＝２９」が記述される。また、マネージメントメッセージペイロードに含まれるアクションコードには、初期化プロセスのやり直しを要求するアクションコード「０ｘ００」が記述される。ＴＬＶ（Ｔｙｐｅ  Ｌｅｎｇｈ  Ｖａｌｕｅ）は、拡張などの可変長の形式を示す。
【０１０３】
上記のように、無線通信機器２が、認証サーバ２４から認証通知を受信したり、基地局２１からＤＲＥＧ−ＣＭＤの通知を受けたりすると、無線通信機器２は、これらを接続結果として無線通信機器制御部１１に通知する（ステップＳ２０７）。
【０１０４】
なお、無線通信機器２は、後述するように無線通信機器制御部１１から停止要求があるまで、図６〜図８に例示した接続処理を繰り返し行う。
【０１０５】
（Ａ−２−２）無線通信機器制御部１１における処理
図１０は、無線通信機器制御部１１における処理の動作を示すフローチャートである。
【０１０６】
まず、無線通信機器制御部１１では、起動停止要求部１１１が、無線通信機器２に対して起動要求を行う（ステップＳ１０１）。起動停止要求部１１１が起動要求を行うと、カウンタ管理部１１２は、ＤＲＥＧ−ＣＭＤ受信カウンタを初期化し（ステップＳ１０２）、ＤＲＥＧ−ＣＭＤ受信カウンタの閾値Ｎ（Ｎは正の整数）の設定を行う（ステップＳ１０３）。
【０１０７】
このとき、無線通信機器２は図６〜図８に例示したネットワーク接続処理を行い、無線通信機器制御部１１は、無線通信機器２からネットワーク接続処理の接続結果の通知を待つ（ステップＳ１０４）。
【０１０８】
無線通信機器制御部１１において、接続結果取得部１１３が、無線通信機器２からの接続結果を受信すると（ステップＳ１０４）、接続結果判定部１１４が、その接続結果を解析して無線通信機器２の状態を判断する。
【０１０９】
ここではＷｉＭＡＸ通信の解約後であるから、認証サーバ２４から認証ＮＧとする認証通知ＰＭＫ−ＲＳＰ（ＥＡＰ  Failure）が接続結果として無線通信機器制御部１１に与えられる。つまり、接続結果判定部１１４は、無線通信機器２についての認証通知が認証ＮＧであることを判定する（ステップＳ１０５）。
【０１１０】
さらに、接続結果判定部１１４は、基地局２１からＤＲＥＧ−ＣＭＤを受信したか否かを判定する（ステップＳ１０６）。基地局２１からＤＲＥＧ−ＣＭＤを受信した場合、カウンタ管理部１１２は、ＤＲＥＧ−ＣＭＤ受信カウンタのカウンタ値を１だけ増加させる（ステップＳ１０７）。
【０１１１】
そして、ＤＲＥＧ−ＣＭＤ受信カウンタのカウンタ値が閾値Ｎを越えるか否かを判定し、カウンタ値が閾値Ｎを越えていない場合、無線通信機器制御部１１は、無線通信機器２に対して、ネットワーク接続処理の初期化プロセスを再度行うようにする。つまり、無線通信機器２は、図６〜図７に例示した接続処理を再度行い、無線通信機器制御部１１は、ステップＳ１０４に戻り、無線通信機器２から接続結果の受信を待つ。
【０１１２】
一方、ＤＲＥＧ−ＣＭＤ受信カウンタのカウンタ値が閾値Ｎを越えた場合、接続結果判定部１１４は、無線通信機器２が解約後の状態であると判定する。
【０１１３】
この場合、まず、無線通信機器制御部１１では、起動停止要求部１１１が無線通信機器２に対して動作停止を要求する（ステップＳ１０９）。これにより、無線通信機器２によるネットワーク接続処理を停止させることができる。
【０１１４】
次に、ファームウェア更新要求部１１５は、無線通信機器２に対して、ファームウェアの更新要求を通知する（ステップＳ１１０）。そして、無線通信機器２でのファームウェアの更新準備が整うと、ファームウェア送信部１１６は、ファームウェア記憶部１１７に記憶される、通信動作を無効にするファームウェアを無線通信機器２に送信する（ステップＳ１１１）。
【０１１５】
これにより、無線通信機器２では、ファームウェア更新部４３２が、受信した通信動作を無効にするファームウェアを更新する。このファームウェアの更新が終了すると、無線通信機器２は、ＷｉＭＡＸ通信が不可能な状態となるので、基地局２１への接続処理を行わなくなる。
【０１１６】
（Ａ−３）実施形態の効果
以上のように、第１の実施形態によれば、基地局は、無線通信機器についての認証結果が認証ＮＧとする認証通知を受けると、ＤＲＥＧ−ＣＭＤを上記無線通信機器に通知することができる。
【０１１７】
また、第１の実施形態によれば、無線通信機器制御部は、無線通信機器の接続結果として、接続ＮＧであり、基地局からＤＲＥＧ−ＣＭＤを受信したことを契機に、ＷｉＭＡＸ通信動作を無効にするファームウェアの更新をさせることができる。そのため、解約後であってもユーザ情報の削除がなされていない無線通信機器が、繰り返し行うＷｉＭＡＸ通信の接続処理を停止させることができる。その結果、従来のような基地局や認証サーバが負っていた負荷を回避することができる。
【０１１８】
（Ｂ）他の実施形態
（Ｂ−１）上述した実施形態は、契約解約後に、接続要求する無線通信機器に対して、ファームウェアの更新をさせる場合を一例として説明したが、これに限定されることなく、オンラインによるＯＭＡ−ＤＭによる解約手続きにおいて、無線通信機器にファームウェアの更新をするようにしてもよい。
【０１１９】
例えば、ＯＭＡ−ＤＭを用いたオンラインによる解約手続きの場合も、無線通信機器はユーザ情報の削除がなされていないので、基地局や認証サーバとの間の接続処理を繰り返し行い得る。この場合も、上述した実施形態で説明した処理を適用することができ、基地局からのＤＲＥＧ−ＣＭＤの受信に基づき、無線通信機器にファームウェアの更新をさせることができる。
【０１２０】
（Ｂ−２）上述した実施形態では、ゲートウェイ装置に無線通信機器が接続できる場合を例示したが、無線通信機器が、ＰＣ等の端末に搭載されるようにしてもよい。このような場合には、無線通信機器制御部が、ＰＣ等の端末にソフトウェアとして搭載されるようにしてもよい。
【０１２１】
また、上述した実施形態では、ＵＳＢなどで無線通信機器がゲートウェイ装置に接続可能な場合を例示したが、無線通信機器が、ゲートウェイ装置に内蔵される場合でもよい。
【０１２２】
（Ｂ−３）上述した無線通信機器制御部、基地局、無線通信機器等の機能は、いわゆるソフトウェア処理により実現されるものである。例えば、ゲートウェイ装置や端末等のハードウェアが備える記憶部に処理プログラムが記憶され、ＣＰＵが記憶部から処理プログラムを読み出して実行することにより実現される。
【符号の説明】
【０１２３】
１０…ネットワーク、１…ゲートウェイ装置、
１１…無線通信機器制御部、１２…データ制御部、１４…ＬＡＮポート、
１３…無線通信機器インタフェース部、１５…無線ＬＡＮ通信部、
２…無線通信機器、３（３−１、３−２）…端末、４…無線通信網、
２１…基地局、
５１…アンテナ、５２…第１通信部、５３…第２通信部、５４…制御部、
２３…登録サーバ、２４…認証サーバ。
【図１】
2012015601.tif 000003
【図２】
2012015601.tif 000004
【図３】
2012015601.tif 000005
【図４】
2012015601.tif 000006
【図５】
2012015601.tif 000007
【図６】
2012015601.tif 000008
【図７】
2012015601.tif 000009
【図８】
2012015601.tif 000010
【図９】
2012015601.tif 000011
【図１０】
2012015601.tif 000012